(57)【要約】【課題】  バッグの外被材に例えば面ファスナーのような部材を設けたとしても、デザイン上の制約を少なくして、美観を向上させることができるバッグを得ること。【解決手段】バッグ本体１１の表皮材１１ａ上に、ワッペンやアップリケなどの付着体４１を着脱自在に取り付けることができるようにするために、複数の起毛体２２ａとこれらの起毛体２２ａを捕捉する捕捉体２２ｂとの組み合せによって互いに着脱自在に結合する一対の結合材２３、例えば面ファスナーをバッグ本体１１の表皮材１１ａと付着体４１の裏面とに設け、バッグ本体１１の表皮材１１ａに設ける結合材２３ａについては、互いに決められた間隔をおいて帯状に配列された帯状係合部２１とすることで、バッグ本体１１の表皮材１１ａと結合材２３ａとを渾然一体にする。【選択図】  図１
0003206693.tif 000002
【実用新案登録請求の範囲】
【請求項１】
バッグ本体の表皮材上に互いに所定間隔を置いて配設され、付着体が着脱可能に係止しうる複数の帯状係合部を有することを特徴とするバッグ。
【請求項２】
前記付着体は装飾物であることを特徴とする請求項１記載のバッグ。
【請求項３】
前記バッグ本体は側面方形状の収納部を有することを特徴とする請求項１記載のバッグ。
【請求項４】
前記帯状係合部は高さ方向に沿って互いに平行に配置されていることを特徴とする請求項３記載のバッグ。
【請求項５】
前記帯状係合部は互いに交差するように配置されていることを特徴とする請求項３記載のバッグ。
【請求項６】
前記帯状係合部は面ファスナーにより構成されていることを特徴とする請求項１〜５のいずれか１項に記載のバッグ。
【考案の詳細な説明】
【技術分野】
【０００１】
本考案は、ワッペンやアップリケなどの付着体を外被材に着脱することができるバッグに関する。
【背景技術】
【０００２】
従来、バッグの表面にワッペンなどの付着体を着脱自在に取り付けるために、面ファスナーを利用したバッグが提案されている。
【０００３】
例えば特許文献１は、トリコット起毛品を基布とするバッグ類（カバン、バッグ、リュックサック）を設けておき、バッグ類の起毛に対して着脱自在に結合する（特許文献１では「係着」）鉤形状や茸の傘形状をした「係着体」と称するものを付着体の裏面に植えた「何でもくっつくカバン」を開示している。
特許文献１には明記されていないが、「トリコット起毛品」と「係着体」との結合は、面ファスナーの原理によるものと理解される。
【０００４】
また特許文献２は、面ファスナーの一方（ループ面又はフック面）をバッグの表面に取り付け、面ファスナーのもう一方を装飾用のワッペンの裏面に取り付けた「面ファスナーバッグ」を開示している。
【０００５】
さらに特許文献３は、バッグの外被材に面ファスナーの雌材（ループ）を設け、ワッペン状の装飾材の裏面に面ファスナーの雄材（フック）を設けた「面ファスナーを利用した相互に着脱自在な複数物品の組み合わせ」を開示している。
【特許文献１】実用新案登録第３０６３６２５号公報
【特許文献２】特開２００７−３７６８８号公報
【特許文献３】特開２００８−６７９７２号公報
【考案の開示】
【考案が解決しようとする課題】
【０００６】
面ファスナーを利用した従来のバッグは、付着体を着脱自在に交換できるようにすることで、好みのコーディネートを可能にしたり（特許文献１の第３頁第１４行〜１６行参照）、オリジナリティを高めたり（特許文献２の段落［０００５］参照）、新たなデザインを創出できるようにしたりすることを狙っている（特許文献３の段落［００２５］参照）。
一言で言うなら、付着体のつけ替えや位置の変更を可能にすることでデザイン上の自由度を高め、使用者の趣味性を満足させることを意図しているものと理解することができるのである。
その反面、バッグの外被材を面ファスナーとしなければならないことから、バッグそれ自体にデザイン上の制約が生じ、美観が損なわれてしまうという問題がある。
【０００７】
例えば特許文献１に記載の考案の場合、トリコット起毛品を基布としてバッグを製作しなければならないためにバッグの素材が限定され、その分バッグのデザインも制約を受けることになる。端的に言うと面ファスナーのループ面が外被材の全面に現れた形態になってしまい、美観上思わしくない。
【０００８】
特許文献２に記載の考案の場合には、バッグの表面の全体又は大半の面積にループ側の面ファスナーを取り付けると記載されている（特許文献２の段落［０００６］参照）。このためバッグの表面の全体又は大半が面ファスナーで覆われたようなデザインとならざるを得ない。
【０００９】
事情は特許文献３に記載の考案でも同様である。
特許文献３は、面ファスナーの配置について、「外表面のうち少なくとも半分の面積を占める」としているわけであるが、具体的には、「底面のある袋であれば、その底面を除く全外面」「リュックサックやランドセルでは、利用者の背に触れる、物品の背面を除く全外面」を例示している（特許文献３の段落［００１９］参照）。
したがって特許文献２に記載の考案と同様に、バッグの外被材の大半が面ファスナーで覆われたようなデザインとなってしまう。
【００１０】
面ファスナーを利用した従来のバッグは、使用者にはデザイン上の自由度を高め、趣味性を満足させることができるという恩恵をもたらす。
ところがバッグそのもののデザイン上の自由度は逆に少なくなってしまい、美観が損なわれてしまう。
したがってバッグの購入を検討する者は、趣味性と美観との狭間で悩むことになることであろう。
【００１１】
そもそもバッグという商品は嗜好性が強く、いわゆる売れる商品となり得るためには、美観や趣味性という要素が大きなウエイトを占める。このためいくら趣味性を満足させることができても美観に優れなければ消費が消極化しやすく、考案の有効利用による産業の発達を妨げることにもつながってしまう。
【００１２】
本考案は、このような点に鑑みなされたもので、バッグの外被材に例えば面ファスナーのような結合材を設けたとしても、デザイン上の制約を少なくして、美観を向上させることができるバッグを得ることを目的とする。
【課題を解決するための手段】
【００１３】
請求項１のバッグは、バッグ本体の表皮材上に互いに所定間隔を置いて配設され、付着体が着脱可能に係止しうる複数の帯状係合部を有することによって上記課題を解決する。
したがって帯状係合部に付着体が取り付けられ、一旦取り付けられた付着体は取り外しも可能である。また帯状係合部は間隔を置いて設けられているので、バッグの外被材と渾然一体となり、バッグの外被材に関するデザイン上の自由度を損なわない。帯状係合部は直線状であっても波線状であってもよく、その他あらゆる線状形状として設けられることが許容される。
請求項２の考案は、請求項１に記載のバッグにおいて、前記付着体は装飾物である。
したがって付着体によってバッグが装飾される。
請求項３の考案は、請求項１に記載のバッグにおいて、前記バッグ本体は側面方形状の収納部を有する。
したがって側面方形状となったバッグの表皮材に沿って帯状係合部が配列される。
請求項４の考案は、請求項３に記載のバッグにおいて、前記帯状係合部は高さ方向に沿って互いに平行に配置されている。
したがって帯状係合部は縦縞模様の形状で設けられる。
請求項５の考案は、請求項３に記載のバッグにおいて、前記帯状係合部は互いに交差するように配置されている。
したがって帯状係合部は格子縞模様の形状で設けられる。
請求項６の考案は、請求項１〜５のいずれか１に記載のバッグにおいて、前記帯状係合部は面ファスナーにより構成されている。
したがって付着体にも面ファスナーの相手方を設けた上で帯状係合部に付着体を接触させると、起毛体（例えばループ）を捕捉体（例えばフック）が捕捉し、帯状係合部に付着体が取り付けられる。あるいは同一形状の起毛体と捕捉体（共にマッシュルーム形状の結合材）とが互いに捕捉し合い、帯状係合部に付着体が取り付けられる。
【考案の効果】
【００１４】
請求項１に記載の考案によれば、帯状係合部はバッグの外被材と渾然一体となり、したがって美観に優れたバッグを得ることができ、またバッグの強度を全体的に均一にすることができ、したがって型崩れしにくいバッグを得ることができる。
請求項２に記載の考案によれば、付着体によってバッグを装飾することができる。
請求項３に記載の考案によれば、帯状係合部を整列された状態に維持することができ、したがってバッグの美観をより一層向上させることができる。
請求項４に記載の考案によれば、帯状係合部は縦縞模様の形状で設けられるので、バッグの強度の均一性をより向上させることができ、したがって型崩れ防止効果を一層促進することができる。
請求項５に記載の考案によれば、帯状係合部は格子縞模様の形状で設けられるので、バッグの強度の均一性をより向上させることができ、したがって型崩れ防止効果を一層促進することができる。
請求項６に記載の考案によれば、様々な種類、形状、色彩のものが数多く出回っている汎用的な面ファスナーを用いることができ、したがってバッグの設計や製造の容易化を図ることができる。
【図面の簡単な説明】
【００１５】
【図１】第１の実施の形態として、付着体が装着される前の状態を示すバッグ（手提げ袋）の斜視図。
【図２】バッグに付着体を取り付けた一例を示す正面図。
【図３】バッグに付着体を取り付けた別の一例を示す正面図。
【図４】第２の実施の形態として、バッグ（巾着袋）を示す斜視図。
【図５】バッグに付着体を取り付けた一例を示す斜視図。
【図６】第３の実施の形態として、付着体が装着される前の状態を示すバッグ（手提げ袋）の斜視図。
【考案を実施するための最良の形態】
【００１６】
図１に示すように、本実施の形態のバッグ１０は、バッグ本体１１の表皮材１１ａ上に互いに所定間隔を置いて配設され、付着体４１が着脱可能に係止しうる複数の帯状係合部２１を有する。
図２、図３に示すように、付着体４１は装飾物である。
図１〜図６に示すように、バッグ本体１１は側面方形状の収納部１３を有する。
図４、図５に示すように、帯状係合部２１は高さ方向に沿って互いに平行に配置されている（第２の実施の形態）。
図６に示すように、帯状係合部２１は互いに交差するように配置されている（第３の実施の形態）。
図１〜図６に示すように、帯状係合部２１は面ファスナーにより構成されている。
【００１７】
（第１の実施の形態）
第１の実施の形態を図１ないし図３に基づいて説明する。
本実施の形態は、手提げ袋１１Ａへの適用例である。
【００１８】
図１〜図３に示すように、手提げ袋１１Ａは上部が開口する側面方形形状（台形形状）の収納部１３を主体とし、収納部１３の開口部分に逆Ｕ字形状をした一対のハンドル１４を固定している。これらの収納部１３及びハンドル１４はいずれも布地を材料としており、縫製によって固定されている。
なお、収納部１３及びハンドル部１４が塩化ビニール又はオレフィン樹脂等の、軟質系合成樹脂により形成されている場合には、ハンドル部１４は収納部に対し溶着加工により固定される場合もある。
【００１９】
手提げ袋１１Ａは、その表皮材１１ａに施された模様１２の形状で、帯状をした五本の帯状係合部２１を有している。
これらの帯状係合部２１は手提げ袋１１Ａの表裏両面の全周を取り囲み、上縁部分から底部近傍に至る範囲で一定の等間隔を開けて水平に配置されている。したがって模様１２は縞模様１２Ｓであり、より詳しくは横縞模様１２ＹＳである。
帯状係合部２１は、収納部１３をなす布地に縫製によって固定されている。
【００２０】
結合材２３はいわゆる面ファスナーである。
したがって起毛体２２ａであるループ面と捕捉体２２ｂであるフック面との接触によって二つの面を結合し、互いに離反する方向に引っ張ることによって容易に結合を解除することができる。
本実施の形態は、帯状係合部２１の表面側の結合材２３ａを起毛体２２ａ、つまりループ面とし、付着体４１の裏面側の結合材２３ｂを捕捉体２２ｂ、つまりフック面とする一例を示しているが、実施に際してはこのような構成に限らない。面ファスナーは様々な種類があるので、適宜最適な面ファスナーを結合材２３として用いることができる。
結合材２３の各種のバリエーションについては、後述する「変形例」の項目で詳しく説明する。
【００２１】
図１では、バッグ本体１１に装着される前の付着体４１を二つ示している。一つはハート形の付着体４１で、面ファスナーである結合材２３ｂを示すために、裏面４１ｂの側を示している。バッグ本体１１の帯状係合部２１に取り付けるに際しては、図１に示す状態からひっくり返し、裏面４１ｂの側の結合材２３ｂを帯状係合部２１の結合材２３ａに接触させる。
もう一つの付着体４１は丸形のもので、表面４１ａの側を示している。
これらの付着体４１は、例えばワッペンやアップリケなどの装飾物であり、したがって表面４１ａの側に装飾性を持たされている。
付着体４１の表面４１ａは、例えばハートマークやピースマークなどのシンボルマークの他（図１参照）、キャラクターなどであっても良い（図２参照）。表面４１ａに表示される装飾物は、使用者の趣味性を満足させるように計画される。したがってシンボルマークやキャラクターに限らず、乗物（新幹線、飛行機、自動車など）、人工物（建造物、スマホなど）、芸術作品（絵画、彫刻など）、動物（犬、猫、パンダなど）、植物（桜、松竹梅など）、昆虫（カブト虫、クワガタなど）、自然物（海や山、景勝地の風景など）といった様々な対象物をモチーフとするあらゆる形態のものの使用が許容される。
また付着体４１の大きさについても特に制限はなく、あらゆる大きさの付着体４１を用いることが可能である。本実施の形態で例示する付着体４１は、帯状係合部２１によって形成される模様１２のうち、二つの要素１２ａにまたがる大きさとされている。
【００２２】
このような構成において、帯状係合部２１に付着体４１の裏面４１ｂを接触させると、起毛体２２ａを捕捉体２２ｂが捕捉し、帯状係合部２１に付着体４１が取り付けられる。
このとき付着体４１は、模様１２として現れた帯状係合部２１のどこにでも取り付けが可能であり、また帯状係合部２１から離れる方向に引っ張れば、帯状係合部２１から容易に離脱する。
したがってバッグ１０の使用者は、そのときどきにおいて所望の付着体４１を所望の位置に取り付けることができ、好きなようにバッグ本体１１をコーディネートしたり、オリジナリティを高めたり、新たなデザインを創出したりすることが可能となる。
図２、図３に例示するように、一例として表面４１ａにキャラクターや各種状況を示す図柄などが施された付着体４１を用意しておけば、バッグ本体１１の表皮材１１ａに物語を表現したりすることができ、物語の内容を日替わりで変えることも可能である。
つまり本実施の形態のバッグ１０によれば、使用者の趣味性を満足させることができるわけである。
【００２３】
本実施の形態のバッグ本体１１はまた、帯状係合部２１は模様１２の形状で設けられているのでバッグ本体１１の表皮材１１ａと渾然一体となり、一般的には美を感じさせにくい結合材２３ａが露出するにもかかわらず、バッグ本体１１の表皮材１１ａに関するデザイン上の自由度を損なうことがない。
したがって使用者の趣味性を満足させるという優れた効果を発揮させるだけでなく、単独で見たときにも優れた美観のバッグ本体１１を得ることができる。
【００２４】
バッグ本体１１はさらに、収納部１３を側面方形状にしている。このため帯状係合部２１を整列された状態に維持することができ、バッグ１０の美観をより一層向上させることができる。
【００２５】
本実施の形態では、一対の結合材２３（２３ａ，２３ｂ）として面ファスナーを用いている。そこで帯状係合部２１に付着体４１の裏面４１ｂを接触させると、起毛体２２ａ（例えばループ）を捕捉体２２ｂ（例えばフック）が捕捉し、帯状係合部２１に付着体４１が取り付けられる。
このように本実施の形態によれば、結合材２３として様々な種類、形状、色彩のものが数多く出回っている汎用的な面ファスナーを用いるので、バッグ本体１１の設計や製造の容易化を図ることができる。
【００２６】
また付着体４１は、帯状係合部２１を形成する模様１２の形状をなす二つ以上の要素１２ａにまたがる大きさを有している。このため付着体４１は、模様１２をなす二つ以上の要素１２ａに取り付けられ、要素１２ａと要素１２ａとの間の部分においては固定されない。
したがって帯状係合部２１に対して付着体４１をバランスよく強固に取り付けることができながら、模様１２をなす個々の要素１２ａと要素１２ａとの間の部分において固定されないことから、付着体４１の取り外し作業の容易化を図ることができる。
【００２７】
さらに帯状係合部２１は、縞模様１２Ｓの形状で設けられている。縞模様１２Ｓは規則性をもって各要素１２ａを配列するため、バッグ本体１１の表皮材１１ａの強度を全体的に均一にすることができ、したがって型崩れしにくいバッグ本体１１を得ることができる。
【００２８】
（第２の実施の形態）
第２の実施の形態を図４及び図５に基づいて説明する。
第１の実施の形態と同一部分は同一符号で示し、説明も省略する。
本実施の形態は、巾着袋１１Ｂへの適用例である。
【００２９】
図４に示すように、巾着袋１１Ｂは上部が開口する袋状の収納部１３を主体とし、収納部１３は開口部分の近傍は絞り部１５となっている。絞り部１５は収納部１３の開口部分を絞って口を閉じる部分であり、一対の絞り紐１６を有している。図４、図５中、絞り紐１６は一本しか図示されていないが、収納部１３の向こう側にもう一本設けられている。これらの絞り紐１６は絞り部１５に内蔵され、互いに相対向する辺の部分を通されて連結されている。したがつて一対の絞り紐１６を離反する方向に引っ張ると、絞り部１５が絞られて巾着袋１１Ｂの口が閉じられる。
【００３０】
巾着袋１１Ｂの帯状係合部２１は、収納部１３の高さ方向に沿って互いに平行に配置されている。したがって帯状係合部２１がなす模様１２は、縦縞模様１２ＴＳである。縦縞模様１２ＴＳの帯状係合部２１は、収納部１３の全周にわたり、絞り部１５よりも下方の位置に配置されている。
図５に示すように、付着体４１は、縦縞模様１２ＴＳをなす帯状係合部２１に着脱が可能である。
【００３１】
このような構成において、巾着袋１１Ｂの口の開け閉めに際して、帯状係合部２１の縦縞模様１２ＴＳをなす各要素１２ａは、絞り部１５の近傍において近接したり離反したりするものの、縦縞模様１２ＴＳであるが故に、大きく捻れたりすることがない。
このため帯状係合部２１は、絞り込んだり拡げたりする巾着袋１１Ｂの口の開け閉め動作の邪魔にならない。
また帯状係合部の縦縞模様１２ＴＳをなす各要素１２ａは、巾着袋１１Ｂの口の繰り返しの開け閉め動作によっても変形の度合いが少ないので、帯状係合部２１はもとよりのこと、バッグ本体１１の表皮材１１ａを全体的に傷みにくくすることができる。
【００３２】
（第３の実施の形態）
第３の実施の形態を図６に基づいて説明する。
第１の実施の形態と同一部分は同一符号で示し、説明も省略する。
本実施の形態は、第１の実施の形態と同様に、手提げ袋１１Ａへの適用例である。
第１の実施の形態と相違するのは、模様１２の形状である。本実施の形態の帯状係合部２１は、互いに交差するように配置されている。したがって帯状係合部２１がなす模様１２は、格子縞模様ＹＴＳである。
したがってバッグ１０の強度の均一性を向上させることができ、型崩れ防止効果をより一層促進することができる。
【００３３】
（変形例）
実施に際しては、各種の変形や変更が可能である。
【００３４】
例えば上記第１及び第２の実施の形態では、収納部１３をなす布地に帯状係合部２１を縫製によって固定する例を示したが、布地に対する帯状係合部２１の固定は縫製に限らず、例えば接着又は溶着によって行ってもよい。
また収納部１３をなす布地と帯状係合部２１とをつなぎ合わせ、帯状係合部２１を収納部１３の一部とするようにしてもよい。この場合、帯状係合部２１は収納部１３をなす布地と強固に連結されている必要があるため、縫製によってつなぎ合わせることが好ましい。
【００３５】
また上記第１〜第３の実施の形態では、帯状係合部２１の模様１２として縞模様１２Ｓを例示した。第１の実施の形態は横縞模様１２ＹＳ、第２の実施の形態は縦縞模様１２ＴＳ、第３の実施の形態は格子縞模様ＹＴＳである。
実施に際しては、縞模様１２Ｓをなす各要素１２ａは直線状である必要はなく、例えば波線状であってもよい。また模様１２は縞模様１２Ｓに限らず、様々な種類のものを採用することが可能である。例えば市松模様、麻の葉模様、青海波、水玉模様など、採用可能な模様１２の種類に制限はない。
【００３６】
結合材２３となる面ファスナーについても、各種の変形や変更が可能である。
例えば捕捉体２２ｂをなすフックの種類としては、鉤形、マッシュルーム形、矢じり形など様々な形状のものがあるが、どのような形状のフックを用いても良い。
また上記第１〜第３の実施の形態では、帯状係合部２１の表面側の結合材２３ａを起毛体２２ａ（ループ面）、付着体４１の裏面側の結合材２３ｂを捕捉体２２ｂとする一例を示したが、実施に際しては反対にしてもよい。
あるいは互いに結合する二つの面にそれぞれループとフックとの両方を植え込んだような面ファスナーも実用化されているので、このような面ファスナーを用いることも可能である。この場合、帯状係合部２１の表面側の結合材２３ａと付着体４１の裏面側の結合材２３ｂとはいずれも、起毛体２２ａ及び捕捉体２２ｂの混合構造となる。
さらに面ファスナーには、互いに結合する二つの面を共にマッシュルーム形状の起毛体２２ａと捕捉体２２ｂとを兼用する構造のものもあるので、このような面ファスナーを用いることも可能である。この場合、帯状係合部２１の表面側の結合材２３ａと付着体４１の裏面側の結合材２３ｂとはいずれも、起毛体２２ａと捕捉体２２ｂとを兼用する同一形状のものとなる。
【００３７】
付着体４１の裏面４１ｂに設ける結合材２３ｂについては、図１に例示するように裏面４１ｂの全面に限らず、例えば付着体４１の外延部分にのみ縁状に設けてもよく、あるいは付着体４１の中心部分にのみ設けてもよい。
【００３８】
その他、あらゆる変形や変更が許容される。
【産業上の利用可能性】
【００３９】
本実施の形態のバッグは、各種のバッグ、ワッペンやアップリケなどの付着体、そして面ファスナーなどの結合材を生産する製造業の分野で活用されるものであり、産業上の利用可能性を有している。
【符号の説明】
【００４０】
１１  ・・・バッグ本体
１１ａ・・・表皮材
１３  ・・・収納部
２１  ・・・帯状係合部
２３ａ・・・結合材（面ファスナー）
４１  ・・・付着体
【図１】
0003206693.tif 000003
【図２】
0003206693.tif 000004
【図３】
0003206693.tif 000005
【図４】
0003206693.tif 000006
【図５】
0003206693.tif 000007
【図６】
0003206693.tif 000008